(57)【要約】【課題】消費電流を低減しながらも、従来と同様の迅速さで、ユーザーに異常であることを気づかせることを可能にした警報器を提供することを目的とする。【解決手段】監視領域の火災を検出する火災検出部５と、警報音を出力する音声発生手段（１４、１８、１９）と、火災検出部５の異常検出に基づいて音声発生手段に警報音を繰り返し発生させるマイコン１０とを備えた火災警報器において、マイコン１０は、警報音として、高い音圧の警報音と低い音圧の警報音とを出力させるものとし、高い音圧の警報音は所定期間経過毎に出力させ、それ以外は低い音圧の警報音を出力させ、高い音圧の警報音の出力期間＜低い音圧の警報音の出力期間に設定したものである。【選択図】図１
2010224909.tif 000002
【特許請求の範囲】
【請求項１】
監視領域の異常を検出する異常検出手段と、
警報音を出力する音声出力手段と、
前記異常検出手段の異常検出に基づいて前記音声発生手段に警報音を繰り返し出力させる制御手段と
を備えた警報器において、
前記制御手段は、前記警報音として、高い音圧の警報音と低い音圧の警報音とを出力させるものとし、前記高い音圧の警報音は所定期間経過毎に出力させ、それ以外は低い音圧の警報音を出力させ、前記高い音圧の警報音の出力期間＜前記低い音圧の警報音の出力期間に設定したことを特徴とする警報器。
【請求項２】
前記警報音の出力を一定時間停止するために操作される警報停止スイッチを備え、
前記警報停止スイッチが操作され前記音声出力手段が出力を停止し、前記異常検出手段が一定時間が経過しても前記監視領域の異常を検出している場合には、前記制御手段は、前記警報音として、前記高い音圧の警報音、又は前記高い音圧の警報音よりも高い音圧の警報音を出力させることを特徴とする請求項１記載の警報器。
【発明の詳細な説明】
【技術分野】
【０００１】
本発明は警報器に関し、特にその警報音の制御に関する。
【背景技術】
【０００２】
従来から、警報器の一例として、監視領域の異常、例えば火災を検出して火災警報音を鳴動する火災警報器が利用されており、これは特に戸建の住宅に適している。このような火災警報器では、火災警報音として、従来はブザー音が用いられていたが、居住者が内容を理解しやすいように、近年は音声を利用する傾向が高まっている（例えば、特許文献１参照）。
【先行技術文献】
【特許文献】
【０００３】
【特許文献１】実開平０５−０９２８９２号公報
【発明の概要】
【発明が解決しようとする課題】
【０００４】
ところで、近年の住宅は防音等が施されている上、テレビ等の生活音があるので、警報に気付くまでに時間がかかる可能性がある。よって高音圧設計をすれば良いが、全ての警報音を高音圧にする事で消費電流が増大し、バッテリータイプであると寿命が短くなってしまうという問題点があった。
【０００５】
本発明は、上記の問題点を解決するためになされたものであり、消費電流を低減しながらも、従来と同様の迅速さで、ユーザーに異常であることを気づかせることを可能にした警報器を提供することを目的とする。
【課題を解決するための手段】
【０００６】
本発明に係る警報器は、監視領域の異常を検出する異常検出手段と、警報音を出力する音声発生手段と、前記異常検出手段の異常検出に基づいて前記音声発生手段に警報音を繰り返し発生させる制御手段とを備えた警報器において、前記制御手段は、前記警報音として、高い音圧の警報音と低い音圧の警報音とを出力させるものとし、前記高い音圧の警報音は所定期間経過毎に出力させ、それ以外は低い音圧の警報音を出力させ、前記高い音圧の警報音の出力期間＜前記低い音圧の警報音の出力期間に設定する。
【０００７】
また、本発明に係る警報器は、前記警報音の出力を一定時間停止するために操作される警報停止スイッチを備え、前記警報停止スイッチが操作され前記音声出力手段が出力を停止し、前記異常検出手段が一定時間が経過しても前記監視領域の異常を検出している場合には、前記制御手段は、前記警報音として、前記高い音圧の警報音、又は前記高い音圧の警報音よりも高い音圧の警報音を出力させる。
【発明の効果】
【０００８】
本発明においては、警報音として、高い音圧の警報音と低い音圧の警報音とを出力させるものとし、前記高い音圧の警報音は所定期間経過毎に出力させ、それ以外は低い音圧の警報音を出力させるようにし、前記高い音圧の警報音の出力期間＜前記低い音圧の警報音の出力期間に設定しているので、消費電流を低減しながらも、従来と同様の迅速さで、ユーザーに異常であることを気づかせることができる。
【０００９】
また、本発明においては、警報停止スイッチの操作で警報音出力を停止し、一定時間経過後も異常（例えば、火災）が継続していると、連続して高い音圧の警報音を出力することができる。火災を一例とすると、鎮火したと思った火災が再熱したときには、又は誤報と思った火災が実際に発生していた場合には、低消費電流をやめて、火災覚知を優先させるので、ユーザーに確実に気づかせることができる。
【図面の簡単な説明】
【００１０】
【図１】本発明の実施の形態に係る火災警報器の内部回路を示す回路構成図である。
【図２】図１の火災警報器のメイン動作を示すフローチャートである。
【図３】図２のスイッチ入力判定の処理を示すフローチャートである。
【図４】図２の火災監視の処理を示すフローチャートである。
【図５】図２の監視結果出力の処理を示すフローチャートである。
【図６】図１の火災警報器における火災発生後の警報音の音量を示すタイミングチャートである。
【発明を実施するための形態】
【００１１】
実施の形態．
警報器には、火災警報器やガス漏れ警報器など、様々なものが存在する。また、火災警報器にも、発光素子及び受光素子によって煙を検出する火災警報器、感熱素子によって熱を検出する火災警報器、及び焦電素子により炎を検出する火災警報器等、様々な火災警報器が存在する。本実施の形態では、感熱素子であるサーミスタによって熱を検出する火災警報器に本発明を適用した場合を例に説明する。
【００１２】
図１は、本実施の形態に係る火災警報器１００の主要な内部回路を示す回路構成図である。
火災警報器１００は、電池１と、火災検出部５と、マイクロコンピューター（以下、マイコンという）１０と、音声出力制御回路１４及びスピーカ１９を有する音声出力手段とを主要構成要素とする。
【００１３】
（マイコン）
マイコン１０は、各種フラグやデータを格納する記憶部１１と、タイマ部１２と、音声データメモリ１３とを備え、図示しないＣＰＵにより火災警報器１００の動作を制御する。なお、マイコン１０は本発明の制御手段に相当するものである。
【００１４】
記憶部１１は、例えばＥＥＰＲＯＭなどの書換え可能な不揮発性メモリで構成される。記憶部１１は、火災が検出されたらセットされる火災フラグ１１ａ、火災が継続しているときにセットされる火災継続フラグ１１ｃ、及び警報音を停止させるときにセットされる火災音声停止フラグ１１ｂを備えている。
【００１５】
タイマ部１２は、５分間タイマ１２ａ及び１分間タイマ１２ｂを備えている。５分間タイマ１２ａは、後述の警報停止スイッチ８が操作されてからの時間をカウントするタイマである。１分間タイマ１２ｂは、高音圧の音声を出力するための周期をカウントするタイマである。
【００１６】
音声データメモリ１３は、スピーカ１９から出力する音声データを格納するメモリであり、例えばＲＯＭで構成される。音声データメモリ１３には、火災警報器１００が火災を検出した際に出力する火災音声（警報音の一例）、火災警報器１００の使用期限が満了したことを示す使用期限満了音声、点検結果が正常であったことを示す点検正常音声、点検結果が異常であったことを示す点検異常音声、火災警報器１００の使用経過時間及び使用可能時間を音声出力するための音声の音声データの各種の音声データが格納されている。
【００１７】
（電源）
例えばリチウム電池である電池１は、定電圧回路４を介してマイコン１０等に常時電力を供給する電源である。電池１は、定電圧回路４を介することにより、マイコン１０等に安定した電力を供給することができる。
【００１８】
（火災検出部）
火災検出部５は、サーミスタ６及び抵抗７からなる熱式の火災検出部であり、本発明の異常検出手段に相当する。サーミスタ６及び抵抗７は直列に接続され、これらの両端には定電圧回路４を介して電池１から定電圧が印加されている。また、サーミスタ６の先端部は、火災警報器１００の筐体の表面近傍に設けられている。これにより、火災時の熱をサーミスタ６に伝達しやすくしている。
【００１９】
マイコン１０には、サーミスタ６と抵抗７とによって抵抗比分割した電圧（検出電圧値）が入力されている。サーミスタ６は温度により抵抗値が変化するため、火災時にサーミスタ６が加熱されると、サーミスタ６と抵抗７との間の電圧値が変化する。マイコン１０は、このサーミスタ６と抵抗７との間の電圧値が例えば火災レベル以上になると、火災が発生したと判断し、マイコン１０が内蔵した記憶部１１の火災フラグ１１ａをセットする。
【００２０】
なお、サーミスタ６には、（ａ）温度上昇により抵抗値が上昇するタイプ、（ｂ）温度上昇により抵抗値が下降するタイプの２タイプがあるが、ここでは、（ｂ）タイプのものが使用されている。この（ｂ）タイプのサーミスタ６の検出電圧値が火災検出用閾値（例えば２Ｖ）以上となれば火災と判断される。
【００２１】
（音声出力手段）
火災警報器１００は、音声出力制御回路１４と、増幅器１８と、スピーカ１９とを備えた音声出力手段を有する。
【００２２】
音声出力制御回路１４は、異なる音圧レベルの音声をスピーカ１９から出力するための回路であり、回路ブロック１５、１６、１７の３つの回路ブロックで構成される。回路ブロック１５、１６、１７は、それぞれ音声出力制御線２０ａ、２０ｂ、２０ｃに接続されている。回路ブロック１５は、トランジスタ１５ａと、抵抗１５ｂ、１５ｃ、１５ｄで構成される。回路ブロック１６、１７も回路ブロック１５と同様の構成であるが、増幅器１８と直列に接続された抵抗１５ｄ、１６ｄ、１７ｄの抵抗値がこの順番で小さく設定されている点で異なる（抵抗１５ｄが一番大きく、抵抗１７ｄが一番小さい）。この抵抗値の違いによって異なる音圧レベルの音声を出力できるようになっており、マイコン１０は、出力する音声の音圧レベルに応じて音声出力制御線２０ａ、２０ｂ、２０ｃのいずれかをＯＮすることで、スピーカ１９から出力させる音声の音圧レベルを制御する。
【００２３】
具体的には、マイコン１０が音声出力制御線２０ａをＯＮするとトランジスタ１５ａが駆動し、抵抗１５ｄを介して増幅器１８に電流が流れる。同様に、音声出力制御線２０ｂをＯＮした場合には回路ブロック１６を介して増幅器１８に電流を供給し、音声出力制御線２０ｃをＯＮした場合には回路ブロック１７を介して増幅器１８に電流を供給する。増幅器１８は、マイコン１０がデータ出力線２１を介して送信する音声信号を、回路ブロック１５、１６、１７から供給される電流に応じて増幅し、スピーカ１９へ出力する。前述の通り抵抗１５ｄ、１６ｄ、１７ｄの抵抗値が異なるので、回路ブロック１５を駆動させた場合の音圧レベルが一番小さく、回路ブロック１７を駆動させた場合の音圧レベルが一番大きくなる。このようにすることで、スピーカ１９から出力する音声の音圧レベルを制御することができる。
なお、本実施の形態では、例えば回路ブロック１５を駆動して音声出力した場合には７０ｄＢ、回路ブロック１６の場合は１００ｄＢ、回路ブロック１７の場合は１１０ｄＢの音声を出力できるものとする。
【００２４】
（点検手段）
火災警報器１００は、内部回路の点検として、電池電圧低下監視を行う。電池電圧低下監視は、電源監視回路２が、電池１の電圧値を検出することにより行う。具体的には、マイコン１０がスイッチ３をＯＮすると、電源監視回路２が駆動され、電源監視回路２が電池１の電圧値を検出する。電源監視回路２は、検出した電圧値をマイコン１０に出力し、マイコン１０は、検出された電圧値が所定の判別レベル以下であれば電池１の電圧が低下しているものと判断する。
【００２５】
なお、本実施の形態では内部回路の点検として電池電圧低下監視のみを行っているがこれは一例であり、サーミスタ６と抵抗７の間の電圧値を監視することによりサーミスタ６の断線（劣化）の点検を行ってもよい。また、スピーカ１９から音声出力がなされるか否かを試験することもできる。
【００２６】
警報停止スイッチ８は、警報音の出力を一定時間停止するために操作されるものであり、マイコン１０はこのスイッチの操作により警報音の出力を一定時間停止する。なお、この警報停止スイッチ８は、その操作方法（例えば特殊操作）により例えば点検手段による点検結果を音声出力させるための点検結果出力スイッチとしても機能させることができる。
【００２７】
このように構成された火災警報器１００は、監視領域である住居等の天井面に設置され、火災の監視を行う。
【００２８】
次に、火災警報器１００の動作を説明する。
図２は、火災警報器１００のメイン動作を示すフローチャートである。図３〜図６は、図２に示された各処理の詳細を示すフローチャートである。
【００２９】
まず、図２を参照して火災警報器１００のメイン動作を説明する。
電池１が装填されて電源が投入されると（Ｓ１）、マイコン１０は記憶部１１内の全てのフラグ（１１ａ〜１１ｃ）をクリアする（Ｓ２）。そして、全タイマをクリアする（Ｓ３）。具体的には、タイマ部１２の５分間タイマ１２ａ及び１分間タイマ１２ｂをクリアする。ここまでの処理が、電源投入時に行う初期処理である。
【００３０】
それ以降は、スイッチ入力判定（Ｓ４）、火災監視（Ｓ５）及び監視結果出力（Ｓ６）の一連の処理を繰り返し行う。
【００３１】
図３は、図２のスイッチ入力判定（Ｓ４）の処理動作を示すフローチャートである。
マイコン１０は、警報停止スイッチ８のスイッチ入力があるか否かを判断し（Ｓ４１）、スイッチ入力がなければ処理を終了する。警報停止スイッチ８のスイッチ入力がある場合には、火災フラグ１１ａがセットされているか否かを判断し（Ｓ４２）、火災フラグ１１ａがセットされている場合には、火災音声停止フラグ１１ｂをセットし（Ｓ４３）、処理を終了する。なお、上記の判断（Ｓ４２）において、火災フラグ１１ａがセットされていない場合においても処理を終了する。
【００３２】
図４は、図２の火災監視（Ｓ５）の処理を示すフローチャートである。
マイコン１０は、サーミスタ６と抵抗７との間の電圧値を取り込んで、その電圧値に基づき、火災が発生しているか否かを判断する（Ｓ５１）。サーミスタ６が加熱されて上記電圧値が上昇し、火災が発生していると判断した場合には、火災フラグ１１ａをセットし（Ｓ５２）、続いて、火災音声停止フラグ１１ｂがセットされているか否かを判断する（Ｓ５３）。火災音声停止フラグ１１ｂがセットされていない場合には後述のステップ（Ｓ５８）に移行するが、火災音声停止フラグ１１ｂがセットされている場合には、次に、５分間タイマ１２ａによるカウントが開始済みであるか否かを判断する（Ｓ５４）。５分間タイマ１２ａによるカウントが開始されていない場合には、５分間タイマ１２ａによるタイマカウンタを開始する（Ｓ５５）。
【００３３】
５分間タイマ１２ａによるカウントが開始されている場合（Ｓ５４）及び５分間タイマ１２ａによるタイマカウントを開始した（Ｓ５５）後は、５分間タイマ１２ａによるカウント値が５分を経過したか否かを判断する（Ｓ５６）。５分を経過していない場合には処理を終了するが、５分を経過している場合には、火災継続フラグ１１ｃをセットし（Ｓ５７）、５分間タイマ１２ａをクリアし（Ｓ５８）、火災音声停止フラグ１１ｂをクリアし（Ｓ５９）、処理を終了する。
【００３４】
また、上記の処理（Ｓ５１）において、火災が発生していないという判断をした場合には、火災フラグ１１ａ及び火災継続フラグ１１ｃをクリアし（Ｓ５９Ａ、Ｓ５９Ｂ）、上記の処理（Ｓ５８）に移行する。
【００３５】
図５は、図２の監視結果出力（Ｓ５）の処理動作を示すフローチャートである。
マイコン１０は、火災フラグ１１ａがセットされているか否かを判断し（Ｓ６１）、セットされていない場合には１分間タイマ１２ｂをクリアし（Ｓ６２）、処理を終了する。火災フラグ１１ａがセットされている場合には、火災音声停止フラグ１１ｂがセットされているか否かを判断する（Ｓ６３）。火災音声停止フラグ１１ｂがセットされている場合には上記の処理（Ｓ６２）に移行する。火災音声停止フラグ１１ｂがセットされていない場合には、火災継続フラグ１１ｃがセットされているか否かを判断し（Ｓ６４）、火災継続フラグ１１ｃがセットされている場合には、火災音声（１１０ｄＢ）を出力する（Ｓ６５）。 
火災継続フラグ１１ｃがセットされていない場合には、１分間タイマ１２ｂがカウントを開始しているか否かを判断し（Ｓ６６）、１分間タイマ１２ｂがカウントを開始していない場合には、１分間タイマ１２ｂのカウントを開始させる（Ｓ６７）。そして、火災音声（１００ｄＢ）を出力する（Ｓ６８）。
１分間タイマ１２ｂがカウントを開始している場合には、１分間タイマ１２ｂのカウント値が１分以上を経過したか否かを判断し（Ｓ６９）、１分間以上を経過している場合には、火災音声（１００ｄＢ）を出力する（Ｓ６９Ａ）。 そして、１分間タイマ１２ｂのカウントをリセットし（Ｓ６９Ｂ）、処理を終了する。
また、上記の判断処理（Ｓ６９）において、１分間以上を経過していないと判断した場合には、火災音声（７０ｄＢ）を出力し（Ｓ６９Ｃ）、処理を終了する。
【００３６】
なお、上記において、火災音声（１１０ｄＢ）を出力する（Ｓ６５）処理においては、データ出力線２１に音声データを出力するとともに、音声出力制御線２０ｃをＯＮする処理をし、火災音声（１００ｄＢ）を出力する（Ｓ６８、Ｓ６９Ａ）処理においては、データ出力線２１に音声データを出力するとともに、音声出力制御線２０ｂをＯＮする処理をする。また、火災音声（７０ｄＢ）を出力する（Ｓ６９Ｃ）処理においては、データ出力線２１に音声データを出力するとともに、音声出力制御線２０ａをＯＮする処理をする。
【００３７】
以上のように、電源が投入された後に繰り返し処理される、スイッチ入力判定（Ｓ４）、火災監視（Ｓ５）及び監視結果出力（Ｓ６）の各処理の詳細を説明したが、この処理を火災が発生していない状態及び発生した場合においてそれぞれ説明する。
【００３８】
（火災が発生していない状態）
（Ｓ４）
図３のスイッチ入力判定（Ｓ４）において、マイコン１０は、上記のスイッチ入力の判断（Ｓ４１）をするが、ここでスイッチ入力が無い場合には処理を終了する。
（Ｓ５）
図４の火災監視（Ｓ５）において、マイコン１０は、火災発生の有無を判断し（Ｓ５１）、この段階では、火災がまだ発生していないので、火災フラグ１１ａ及び火災継続フラグ１１ｃをクリアし（Ｓ５９Ａ、５９Ｂ）、５分間タイマ１２ａをクリアし（Ｓ５８）、火災音声停止フラグ１１ｂをクリアし（Ｓ５９）、処理を終了する。
(Ｓ６）
図５の監視結果出力（Ｓ６）において、火災フラグ１１ａがセットされていないので、マイコン１０は、処理（Ｓ６１）、（Ｓ６２）を行い、処理を終了する。
即ち、火災が発生していない状態においては、処理（Ｓ４１）、（Ｓ５１）、（Ｓ５９Ａ）、（Ｓ５９Ｂ）、（Ｓ５８）、（Ｓ５９）、（Ｓ６１）及び（Ｓ６２）が繰り返して処理される。
【００３９】
（火災が発生した場合）
図６は、火災が発生したときの音声発生のタイミングチャートであり、この図を参照しながら説明する。
（Ａ）火災音声（１００ｄ）の出力（１周期目）
（Ｓ４）
図３のスイッチ入力判定（Ｓ４）においては、マイコン１０は、上記のスイッチ入力の判断（Ｓ４１）をするが、ここでスイッチ入力が無い場合には処理を終了する。
（Ｓ５）
図４の火災監視（Ｓ５）において、火災発生の有無を判断し（Ｓ５１）、火災が発生している場合には、マイコン１０は、上記の処理（Ｓ５２）、（Ｓ５３）、（Ｓ５８）及び（Ｓ５９）を実行し、火災フラグ１１ａをセットし（Ｓ５２）、５分間タイマ１２ａをクリアし（Ｓ５８）、火災音声停止フラグ１１ｂをクリアし（Ｓ５９）、処理を終了する。
（Ｓ６）
図５の監視結果出力（Ｓ６）において、火災フラグ１１ａがセットされており、火災音声停止フラグ１１ｂ及び火災継続フラグ１１ｃがセットされておらず、１分間タイマ１２ｂのカウントがまだ開始されていない状態である。このため、マイコン１０は、処理（Ｓ６１）、（Ｓ６３）、（Ｓ６４）、及び（Ｓ６６）〜（Ｓ６８）を実行し、１分間タイマ１２ｂのカウントを開始し（Ｓ６７）、火災音声（１００ｄＢ）を出力する（Ｓ６８）。図６のフローチャートにおいて火災発生直後の１００ｄＢの音声は、この処理（Ｓ６８）による音声である。
【００４０】
（Ｂ）火災音声（７０ｄＢ）の出力（１周期目）
（Ｓ４）
図３のスイッチ入力判定（Ｓ４）において、マイコン１０は、スイッチ入力が無いので、上記（Ａ）の場合と同様な処理をして終了する。
（Ｓ５）
図４の火災監視（Ｓ５）においては、マイコン１０は、火災発生の有無を判断し（Ｓ５１）、この段階では既に火災が発生しており、火災音声停止フラグ１１ｂがセットされていない状態なので、上記の処理（Ｓ５２）、（Ｓ５３）、（Ｓ５８）及び（Ｓ５９）を実行し、５分間タイマ１２ａをクリアし（Ｓ５８）、火災音声停止フラグ１１ｂをクリアし（Ｓ５９）、処理を終了する。
（Ｓ６）
図５の監視結果出力（Ｓ６）においては、火災フラグ１１ａがセットされており、火災音声停止フラグ１１ｂ及び火災継続フラグ１１ｃがセットされておらず、１分間タイマ１２ｂのカウントは開始されているが１分以上を経過していない段階であるとすると、マイコン１０は、処理（Ｓ６１）、（Ｓ６３）、（Ｓ６４）、（Ｓ６６）、（Ｓ６９）及び
（Ｓ６９Ｃ）を実行し、火災音声（７０ｄＢ）を出力する（Ｓ６９Ｃ）。図６のフローチャートにおいて火災発生直後の１００ｄＢの後の７０ｄＢ音声は、この処理（Ｓ６９Ｃ）による音声である。
【００４１】
（Ｃ）火災音声（１００ｄＢ）の出力（２周期目）
上記の火災音声（７０ｄＢ）が出力している状態が継続し、１分以上を経過すると、図５の監視結果出力（Ｓ６）の処理（Ｓ６９）において、１分以上を経過していると判断し、火災音声（１００ｄＢ）を出力し（Ｓ６９Ａ）、１分間タイマ１２ｂのカウント（カウント値）をリセットし（Ｓ６９Ｂ）、処理を終了する。図６のフローチャートにおいて、７０ｄＢ音声の後の１００ｄＢの音声は、この処理（Ｓ６９Ｂ）による音声である。
【００４２】
（Ｄ）火災音声（７０ｄＢ）の出力（２周期目）
（Ｓ４）
図３のスイッチ入力判定（Ｓ４）において、マイコン１０は、スイッチ入力が無いので、上記（Ａ）及び（Ｂ）の場合と同様な処理をして終了する。
（Ｓ５）
図４の火災監視（Ｓ５）において、この段階では既に火災が発生しており、火災音声停止フラグ１１ｂがセットされておらず、５分間タイマ１２ａがカウントを開始していない状態であることから、マイコン１０は、上記の処理（Ｓ５１）、（Ｓ５２）、（Ｓ５３）、（Ｓ５８）、及び（Ｓ５９）を実行し、火災フラグ１１ａをセットして（Ｓ５２）、処理を終了する。
（Ｓ６）
図５の監視結果出力（Ｓ６）において、火災フラグ１１ａがセットされており、火災音声停止フラグ１１ｂ及び火災継続フラグ１１ｃがセットされておらず、また、１分間タイマ１２ｂのカウントは、リセットしたカウント値を用いて、開始（継続）されているが、１分以上を経過していない段階であるので、マイコン１０は、処理（Ｓ６１）、（Ｓ６３）、（Ｓ６４）、（Ｓ６６）、（Ｓ６９）、及び（Ｓ６９Ｃ）を実行し、火災音声（７０ｄＢ）を出力する（Ｓ６９Ｃ）。図６のフローチャートにおいて、２度目の１００ｄＢの後の７０ｄＢ音声は、この処理（Ｓ６９Ｃ）による音声である。
【００４３】
以上のように最初に１００ｄＢの音声出力を出し、その後、７０ｄＢの音声を連続して出力するという処理が繰り返される。そして、その音声出力に際しては、１００ｄＢの音声出力時間＜７０ｄＢの音声出力時間となっている。
【００４４】
次に、この段階で警報停止スイッチ８が操作された場合の動作を説明する。
【００４５】
（Ｅ）警報音の停止
（Ｓ４）
図３のスイッチ入力判定（Ｓ４）においては、警報停止スイッチ８が入力されており、火災フラグ１１ａがセットされている状態であり、マイコン１０は、上記の処理（Ｓ４１）〜（Ｓ４３）を実行し、火災音声停止フラグ１１ｂをセットする（Ｓ４３）。
（Ｓ５）
図４の火災監視（Ｓ５）においては、火災が発生しており、火災音声停止フラグ１１ｂがセットされており、５分間タイマ１２ａのカウントがまだ開始されていない状態であり、マイコン１０は、（Ｓ５１）、（Ｓ５２）〜（Ｓ５６）を実行し、５分間タイマ１２ａのカウントを開始し（Ｓ５５）、処理を終了する。
（Ｓ６）
図５の監視結果出力（Ｓ６）においては、火災フラグ１１ａ及び火災音声停止フラグ１１ｂがセットされている状態にあり、マイコン１０は、（Ｓ６１）、（Ｓ６３）及び（Ｓ６２）を実行し、１分間タイマ１２ｂをクリアして終了する（Ｓ６２）。このため、この段階では、音声出力は無く、警報音は停止する。
【００４６】
その後、火災がまだ継続しており、警報停止スイッチ８の投入から５分間を経過した状態についての動作を説明する。
【００４７】
（Ｆ）火災音声（１１０ｄＢ）の出力
（Ｓ４）
図３のスイッチ入力判定（Ｓ４）においては、再度の警報停止スイッチ８の入力はない状態であり、マイコン１０は、上記の処理（Ｓ４１）を実行する。なお、火災音声停止フラグ１１ｂはセット状態のままである。
（Ｓ５）
図４の火災監視（Ｓ５）においては、火災が発生しており、火災音声停止フラグ１１ｂがセットされており、５分間タイマ１２ａのカウントがまだ開始されている状態で、且つ５分を経過している状態にあるものとする。マイコン１０は、処理（Ｓ５１）、（Ｓ５２）〜（Ｓ５９）を実行し（（Ｓ５５）は除く）、火災継続フラグ１１ｃをセットし（Ｓ５７）、５分間タイマ１２ａをクリアし（Ｓ５８）、火災音声停止フラグ１１ｂをクリアし（Ｓ５９）、処理を終了する。
（Ｓ６）
図５の監視結果出力（Ｓ６）においては、火災音声停止フラグ１１ｂがセットされていない状態、火災フラグ１１ａ及び火災継続フラグ１１ｃがそれぞれセットされている状態にあり、マイコン１０は、処理（Ｓ６１）、（Ｓ６３）、（Ｓ６４）及び（Ｓ６５）を実行し、火災音声（１１０ｄＢ）を出力し（Ｓ６５）、処理を終了する。図６のタイミングチャートの１１０ｄＢの音声はこの処理（Ｓ６５）による音声である。
【００４８】
以上のように本実施の形態において、マイコン１０は、火災が発生すると、警報音として、高い音圧の警報音（１００ｄＢ）と低い音圧の警報音（７０ｄＢ）とを出力させるものとし、高い音圧の警報音（１００ｄＢ）は所定期間（例えば１分間）経過毎に出力させ、それ以外は低い音圧の警報音（７０ｄＢ）を出力させるようにしており、そして、１００ｄＢの音声出力時間＜７０ｄＢの音声出力時間となっている。このため、消費電流を低減しながらも、従来と同様の迅速さで、ユーザーに異常であることを気づかせることができる。
【００４９】
また、本実施の形態において、警報停止スイッチ８が操作されると警報音出力を停止するが、一定時間（例えば５分間）経過後も火災が継続していると、連続して高い音圧の警報音（１１０ｄＢ）を出力するようにしており、例えば、鎮火したと思った火災が再熱したときには、又は誤報と思った火災が実際に発生していた場合には、低消費電流の処理動作をやめて、火災覚知を優先させるようにしたので、ユーザーに確実に気づかせることができる。
【００５０】
なお、上記の説明においては、警報音として、７０ｄＢ、１００ｄＢ、１１０ｄＢの例について説明したが、その音量は本発明においてはその例に限定されるものではなく、本発明の課題の範囲内において適宜変更し得るものである。
また、高い音圧の警報音（１００ｄＢ）を出力させるための所定期間として１分間の例について説明したが、本発明はそれに限定されるものではなく、１．５分、２分間等の時間であってもよい。また、高い音圧の警報音（１００ｄＢ）の音声出力時間＜低い音圧の警報音（７０ｄＢ）の音声出力時間であればよいので、図６に示されるように、高い音圧の警報音（１００ｄＢ）の音声出力回数は１回に限定されず、複数回数であってもよい。
また、上記の説明においては、警報停止スイッチ８が操作されると警報音出力を停止し、一定時間経過後も火災が継続していると、連続して高い音圧の警報音（１１０ｄＢ）を出力するようにしており、一定時間として５分間の例について説明したが、その時間についても、本発明の課題の範囲内において適宜変更し得るものである。また、上記火災継続時の高い音圧の警報音として、高い音圧の警報音（１００ｄＢ）よりも高い音圧の警報音（１１０ｄＢ）を出力するようにしたが、高い音圧の警報音（１００ｄＢ）を出力してもよい。
【００５１】
また、上記の説明においては、異常検出部として火災検出部５を例に説明したが、ガス漏れなどその他の監視領域の異常を検出するものであってもよい。また、火災検出部５として、サーミスタ６による熱検出を例に説明したが、煙検出部などその他の火災検出部を用いてもよい。
【符号の説明】
【００５２】
１  電池、２  電源監視回路、３  スイッチ、４  定電圧回路、５  火災検出部、６  サーミスタ、７  抵抗、８  警報停止スイッチ、１０  マイコン、１１  記憶部、１１ａ  火災フラグ、１１ｂ火災音声停止フラグ  １１ｃ  火災継続フラグ、１２  タイマ部、１２ａ  ５分間タイマ、１２ｂ  １分間タイマ、１３  音声データメモリ、１４  音声出力制御回路、１５  回路ブロック、１５ａ  トランジスタ、１５ｂ  抵抗、１５ｄ  抵抗、１６  回路ブロック、１６ａ  トランジスタ、１６ｂ  抵抗、１６ｄ  抵抗、１７  回路ブロック、１７ａ  トランジスタ、１７ｂ  抵抗、１７ｄ  抵抗、１８  増幅器、１９  スピーカ、２０ａ  音声出力制御線、２０ｂ  音声出力制御線、２０ｃ  音声出力制御線、２１  データ出力線、１００  火災警報器。
【図１】
2010224909.tif 000003
【図２】
2010224909.tif 000004
【図３】
2010224909.tif 000005
【図４】
2010224909.tif 000006
【図５】
2010224909.tif 000007
【図６】
2010224909.tif 000008